(57)【要約】【課題】箱サイズが若干大きくても、電子レンジで加熱した際に水蒸気が外部に逃げることはもちろん、回転時に引っ掛からないないようにした包装紙箱を提供すること。【解決手段】水平横倒し状態で見て、上面パネル１１の内側面に差し込まれる差込みパネル１７が上辺側に連設してなる開封部分１６を側面に有しており、その差込みパネル１７には開口２４が形成されている。差込みパネルを上面パネルの内側面から引き抜いて開封部分を開けると、その差込みパネルに開口が形成されているので、電子レンジで加熱した際に水蒸気を外部に逃がすことができる。さらに、その開口２４における端縁側の縁部に一対の切欠によって凸部分が設けられており、上面パネル１１の端縁近傍には差込みパネルの凸部分を上側から差し込んで係止できるスリットが形成されている。【選択図】図３
2007168853.tif 000002
【特許請求の範囲】
【請求項１】
内部蒸気圧が所定圧力を越えると開口する背貼り部が蒸気逃がし部として設けられた包装袋の外装に用いられる扁平箱形の包装紙箱であって、水平横倒し状態で見て、上面パネルの内側面に差し込まれる差込みパネルが上辺側に連設してなる開封部分を側面に有しており、その差込みパネルには開口が形成されていることを特徴とする包装紙箱。
【請求項２】
差込みパネルの開口における端縁側の縁部に一対の切欠によって凸部分が設けられており、上面パネルの端縁近傍には差込みパネルの凸部分を上側から差し込んで係止できるスリットが形成されていることを特徴とする請求項１に記載の包装紙箱。
【請求項３】
下面パネルに連設する蓋パネルにより開封部分を構成したことを特徴とする請求項１又は２に記載の包装紙箱。
【請求項４】
下面パネルを延長した蓋部分により開封部分を構成したことを特徴とする請求項１又は２に記載の包装紙箱。
【発明の詳細な説明】
【技術分野】
【０００１】
本発明は、包装袋を収納するための包装紙箱の技術分野に属し、特に、電子レンジで加熱することができるレトルト食品等の調理済み食品を密封充填した包装袋の外装に適用される電子レンジ用の包装紙箱に関するものである。
【背景技術】
【０００２】
従来より、レトルト食品等の調理済み食品を密封充填した包装袋を収納した状態で販売され、その包装袋を収納したままで電子レンジにて加熱することを可能とした包装紙箱が種々提案されている。
【０００３】
このような包装紙箱の一つとして、例えば特許文献１，２に記載のものがある。これらの文献に示される扁平箱形の包装紙箱は、内圧を利用して剥離開口させる弱シール部又は脆弱部を有する背貼り部を蒸気逃がし部として設けた包装袋の外装に用いられる。そして、この包装紙箱に入った包装袋を電子レンジにより加熱するに際しては、紙箱に設けた切離開封部を開いて包装袋の背貼り部を外部に露出させ、そのままターンテーブル上に水平横倒し状態に置いて寝かせたまま加熱するようになっている。この電子レンジでの加熱時において、包装袋は加熱による内部蒸気圧で背貼り部が剥離開口し、そこから圧抜きのための水蒸気を外部に向けて円滑に逃がすことができ、また箱自体は熱くならないので、加熱調理後は電子レンジ内から容易に取り出すことができる。
【特許文献１】特開２００１−３９４７６号公報
【特許文献２】特開２００２−１９７７６号公報
【発明の開示】
【発明が解決しようとする課題】
【０００４】
上記した特許文献１，２に記載の包装紙箱は、調理済み食品を充填した包装袋を収容した状態で販売される。そして、電子レンジでの加熱時には、天壁の部分を開封した後、包装袋を入れたまま、ターンテーブル上で立てることなく寝かせた状態で加熱することができる。特に、特許文献２に記載のものは、開封して立て起こされた天壁の部分が飛散した内容物の楯としての役目を果たすことから、電子レンジからの取出しに際して火傷する恐れが少ないという利点もある。しかしながら、いずれにしても、天壁の部分を開封すると、その天壁の部分だけ全体の長さが大きくなるので、食品の内容量を増量した場合など、箱サイズが少しでも大きくなると、ターンテーブルからはみ出して、回転時に引っ掛かるという問題点があった。
【０００５】
本発明は、このような問題点に鑑みてなされたものであり、その目的とするところは、箱サイズが若干大きくても、電子レンジで加熱した際に水蒸気が外部に逃げることはもちろん、回転時に引っ掛からないないようにした包装紙箱を提供することにある。
【課題を解決するための手段】
【０００６】
上記の問題点を解決するため、本発明の包装紙箱は、内部蒸気圧が所定圧力を越えると開口する背貼り部が蒸気逃がし部として設けられた包装袋の外装に用いられる扁平箱形の包装紙箱であって、水平横倒し状態で見て、上面パネルの内側面に差し込まれる差込みパネルが上辺側に連設してなる開封部分を側面に有しており、その差込みパネルには開口が形成されていることを特徴としている。
【０００７】
上記構成の包装紙箱において、差込みパネルの開口における端縁側の縁部に一対の切欠によって凸部分が設けられており、上面パネルの端縁近傍には差込みパネルの凸部分を上側から差し込んで係止できるスリットが形成されていることが好ましい。
【０００８】
そして、上記構成の包装紙箱において、下面パネルに連設する蓋パネルにより開封部分を構成することができる。或いは、下面パネルを延長した蓋部分により開封部分を構成することもできる。
【発明の効果】
【０００９】
本発明の包装紙箱は、差込みパネルを上面パネルの内側面から引き抜いて開封部分を開けると、その差込みパネルに開口が形成されているので、電子レンジで加熱した際に水蒸気を外部に逃がすことができる。そして、開封部分を開けた後、差込みパネルを上面パネルに被せるようにしてその凸部分を上面パネルのスリットに差し込んで係止することにより、開封部分と差込みパネルがＶ字状に屈曲して出っ張りが小さくなるので、箱サイズが若干大きくても、ターンテーブルに載せて電子レンジで加熱する際に引っ掛からないないようにすることができる。しかも、差込みパネルには開口があり、さらには開封部分と差込みパネルの側方にも三角状の開口が形成されるので、電子レンジ用として必要な水蒸気を逃がす機能を有したものとなる。
【発明を実施するための最良の形態】
【００１０】
次に、本発明の実施の形態について図面を参照しながら詳細に説明する。
【００１１】
図１は本発明に係る包装紙箱の一例を示す斜視図、図２は図１の包装紙箱を形成するブランクの平面図、図３は図１の包装紙箱の使用状態を示す斜視図である。
【００１２】
図１の包装紙箱は図２のブランクを組み立てて形成される。このブランクは、紙箱用の板紙を打ち抜いて形成したものであり、打抜きと同時に形成される罫線により図示の如く所定の部分に区画されている。
【００１３】
すなわち、上面パネル１１の右辺に側面パネル１２、下面パネル１３、側面パネル１４がこの順で連設され、左辺には接着パネル１５が連設され、下面パネル１３の上辺には蓋パネル１６が連設され、その蓋パネル１６には通常の紙箱より大きめのサイズをした差込みパネル１７が連設されている。また、上面パネル１１と下面パネル１３の下辺にはそれぞれ閉鎖パネル１８，１９が連設されており、側面パネル１２，１４の上辺にはそれぞれフラップ片２０，２１が連設され、下辺にはそれぞれ折込みパネル２２，２３が連設されている。
【００１４】
そして、差込みパネル１７には大きな長円形の開口２４が形成され、その開口２４における端縁側の縁部に一対の切欠によって凸部分２５が設けられており、上面パネル１１の端縁近傍には、組立時においてこの差込みパネル１７の凸部分２５を上側から差し込んで係止できるスリット２６が形成されている。
【００１５】
このブランクは、閉鎖パネル１８，１９の折返し部１８ａ，１９ａをそれぞれ折込みパネル２２，２３に貼り合わせるとともに、接着パネル１５を側面パネル１４に貼り合わせたサック貼り状態で折り畳まれる。そして、紙箱を組み立てるに際しては、折り畳んだブランクを起こすだけの操作で、閉鎖パネル１８，１９の部分がオートロックされて箱の底部が形成される。このように箱状としてから、レトルト食品等の調理済み食品を密封充填した包装袋を所定の向きで中に入れ、差込みパネル１７を上面パネル１１の内側面に差し込んで蓋パネル１６を閉じる。これにより、図１に示す包装紙箱Ａが形成され、この包装紙箱Ａは、下面パネル１３に連設する蓋パネル１６により箱の開封部分が構成された形態となる。なお、紙箱の分野では常套手段ではあるが、オートロックでの底部の形成を容易とするため、閉鎖パネル１８，１９と折込みパネル２２，２３の境界線は押罫と切線を組み合わせたリード罫としている。
【００１６】
この包装紙箱Ａを電子レンジにかけるに際しては、まず、差込みパネル１７を上面パネル１１の内側面に当接する位置から引き抜くことで蓋パネル１６を開ける。そして、差込みパネル１７を上面パネル１１に被せるようにしてその凸部分２５を上面パネル１１のスリット２６に差し込んで係止する。これにより、図３に示すように、蓋パネル１６と差込みパネル１７がＶ字状に屈曲して出っ張りが小さくなり、蓋パネル１６を伸ばした場合に比べて長さ方向のサイズが小さくなる。したがって、箱サイズが若干大きくてもターンテーブルに載せて電子レンジで加熱する際に引っ掛からないようにすることができる。
【００１７】
そして、電子レンジでの加熱時には、包装袋から出る水蒸気を差込みパネル１７の開口２４から逃がすことができる。さらに、蓋パネル１６と差込みパネル１７の側方にも三角状の開口があるので、ここからも水蒸気を逃がすことができる。また、内容物が吹き出した場合でも、蓋パネル１６と差込みパネル１７が楯の役目を果たして外部に飛び出すのを防止する。
【００１８】
図４は本発明に係る包装紙箱の他の例を示す斜視図、図５は図４の包装紙箱を形成するブランクの平面図、図６は図４の包装紙箱の使用状態を示す斜視図である。
【００１９】
図４の包装紙箱は図５のブランクを組み立てて形成される。このブランクは、紙箱用の板紙を打ち抜いて形成したものであり、打抜きと同時に形成される罫線により図示の如く所定の部分に区画されている。
【００２０】
すなわち、上面パネル３１の右辺に側面パネル３２、下面パネル３３、側面パネル３４がこの順で連設され、左辺には接着パネル３５が連設され、このうち下面パネル３３は通常の箱より上方に長く、この延長したところが蓋部分３３ａとなっており、その蓋部分３３ａには通常の紙箱より大きめのサイズをした差込みパネル３６が連設されている。このように、図５のブランクでは、通常の蓋パネルがない代わりに、下面パネル３３を延長して蓋部分３３ａとしている。また、上面パネル３１と下面パネル３３の下辺にはそれぞれ閉鎖パネル３７，３８が連設されており、側面パネル３２，３４の上辺にはそれぞれフラップ片３９，４０が連設され、下辺にはそれぞれ折込みパネル４１，４２が連設されている。
【００２１】
そして、差込みパネル３６には大きな長円形の開口４３が形成され、その開口４３における端縁側の縁部に一対の切欠によって凸部分４４が設けられており、上面パネル３１の端縁近傍には、組立時においてこの差込みパネル３６の凸部分４４を上側から差し込んで係止できるスリット４５が形成されている。
【００２２】
このブランクは、閉鎖パネル３７，３８の折返し部３７ａ，３８ａをそれぞれ折込みパネル４１，４２に貼り合わせるとともに、接着パネル３５を側面パネル３４に貼り合わせたサック貼り状態で折り畳まれる。そして、紙箱を組み立てるに際しては、折り畳んだブランクを起こすだけの操作で、閉鎖パネル３７，３８の部分がオートロックされて箱の底部が形成される。このように箱状としてから、レトルト食品等の調理済み食品を密封充填した包装袋を所定の向きで中に入れ、差込みパネル３６を上面パネル３１の内側面に差し込んで蓋部分３３ａを閉じる。これにより、図４に示す包装紙箱Ｂが形成され、この包装紙箱Ｂは、下面パネル３３を延長した蓋部分３３ａにより箱の開封部分が構成された形態となる。なお、紙箱の分野では常套手段ではあるが、オートロックでの底部の形成を容易とするため、閉鎖パネル３７，３８と折込みパネル４１，４２の境界線は押罫と切線を組み合わせたリード罫としている。
【００２３】
この包装紙箱Ｂを電子レンジにかけるに際しては、まず、差込みパネル３６を上面パネル３１の内側面に当接する位置から引き抜くことで蓋部分３３ａを開ける。そして、差込みパネル３６を上面パネル３１に被せるようにしてその凸部分４４を上面パネル３１のスリット４５に差し込んで係止する。これにより、図６に示すように、蓋部分３３ａと差込みパネル３６がＶ字状に屈曲して出っ張りが小さくなり、蓋部分３３ａを伸ばした場合に比べて長さ方向のサイズが小さくなる。したがって、箱サイズが若干大きくてもターンテーブルに載せて電子レンジで加熱する際に引っ掛からないようにすることができる。
【００２４】
そして、電子レンジでの加熱時には、包装袋から出る水蒸気を差込みパネル３６の開口４３から逃がすことができる。さらに、蓋部分３３ａと差込みパネル３６の側方にも三角状の開口があるので、ここからも水蒸気を逃がすことができる。また、内容物が吹き出した場合でも、蓋部分３３ａと差込みパネル３６が楯の役目を果たして外部に飛び出すのを防止する。
【００２５】
以上、２つの例を挙げ、本発明の実施の形態について詳細に説明してきたが、本発明による包装紙箱は、上記実施の形態に何ら限定されるものではなく、本発明の趣旨を逸脱しない範囲において種々の変更が可能であることは当然のことである。
【図面の簡単な説明】
【００２６】
【図１】本発明に係る包装紙箱の一例を示す斜視図である。
【図２】図１の包装紙箱を形成するブランクの平面図である。
【図３】図１の包装紙箱の使用状態を示す斜視図である。
【図４】本発明に係る包装紙箱の他の例を示す斜視図である。
【図５】図４の包装紙箱を形成するブランクの平面図である。
【図６】図４の包装紙箱の使用状態を示す斜視図である。
【符号の説明】
【００２７】
Ａ，Ｂ  包装紙箱
１１  上面パネル
１２  側面パネル
１３  下面パネル
１４  側面パネル
１５  接着パネル
１６  蓋パネル
１７  差込みパネル
１８，１９  閉鎖パネル
１８ａ，１９ａ  折返し部
２０，２１  フラップ片
２２，２３  折込みパネル
２４  開口
２５  凸部分
２６  スリット
３１  上面パネル
３２  側面パネル
３３  下面パネル
３３ａ  蓋部分
３４  側面パネル
３５  接着パネル
３６  差込みパネル
３７，３８  閉鎖パネル
３７ａ，３８ａ  折返し部
３９，４０  フラップ片
４１，４２  折込みパネル
４３  開口
４４  凸部分
４５  スリット
【図１】
2007168853.tif 000003
【図２】
2007168853.tif 000004
【図３】
2007168853.tif 000005
【図４】
2007168853.tif 000006
【図５】
2007168853.tif 000007
【図６】
2007168853.tif 000008